(57)【要約】      （修正有）【課題】非接触感知方式により、回動式ドアロックの回転角度が開位置にあるか閉位置にあるかを判定し、ブラシおよび導電性ストリップの使用に起因する材料の摩耗問題を回避できる吊り下げ式スマート電子補助ロックを提供する。【解決手段】回路基板１２が筐体１１内に配置され、電源ユニット１３が回路基板に接続される。回転部材１４の本体部が筐体の穿孔部に嵌着され、部分的に筐体外に露出し、結合部１４２が本体部に接続され、筐体外に露出している。信号変化部材１５が本体部の外周に外嵌される。信号受信部材１６が、信号変化部材に対して所定の距離で回路基板上に配置され、信号変化部材の位置を検知して、回動式ドアロックの位置信号を生成する。回路基板に設置された無線信号受信モジュールが、制御信号を受信する。駆動部材１８が制御信号に基づいて回転部材を駆動する。データ計算モジュール１９が、位置信号に基づいて回動式ドアロックの回転角度を判定する。【選択図】図２Ａ
0003230845.tif 000002
【実用新案登録請求の範囲】
【請求項１】
吊り下げ式スマート電子補助ロックであって、
筐体と、
前記筐体内に配置された回路基板と、
前記筐体内に配置され、前記回路基板に電気的に接続された電源ユニットと、
回転部材であって、本体部および結合部を有し、前記本体部は、前記筐体の穿孔部に嵌着され、前記筐体外に部分的に露出しており、前記結合部は、前記本体部に接続され、前記筐体外に露出して、回動式ドアロックに結合する、回転部材と、
前記回転部材の前記本体部の外周に外嵌された信号変化部材と、
信号受信部材であって、前記信号変化部材に対して所定の距離で前記回路基板上に配置され、前記信号変化部材の位置を検知して前記回動式ドアロックの位置信号を生成する、信号受信部材と、
無線信号受信モジュールであって、前記回路基板上に配置され、インテリジェント型装置が送信した制御信号を受信する、無線信号受信モジュールと、
駆動部材であって、前記筐体内に配置され、前記回転部材に接続され、前記制御信号に基づいて前記回転部材を駆動する、駆動部材と、
データ計算モジュールであって、前記回路基板上に配置され、前記信号受信部材に電気的に接続されて前記位置信号を受信し、前記位置信号に基づいて前記回動式ドアロックの回転角度を判定する、データ計算モジュールを備える吊り下げ式スマート電子補助ロック。
【請求項２】
前記駆動部材は、
前記回転部材の前記本体部に接続された従動輪と、
前記従動輪を駆動する駆動モータを備える、請求項１に記載の吊り下げ式スマート電子補助ロック。
【請求項３】
前記データ計算モジュールは、データベースを記憶しており、前記データ計算モジュールは、前記データベースを前記信号受信部材によって生成された前記位置信号と比較することにより、前記回動式ドアロックの前記回転角度を判定する、請求項１に記載の吊り下げ式スマート電子補助ロック。
【請求項４】
前記信号受信部材は、ホールセンサを備え、前記信号変化部材は、環状磁石を備え、前記データ計算モジュールは、前記データベースを前記ホールセンサによって生成された前記位置信号と比較することにより、前記回動式ドアロックの前記回転角度を判定する、請求項３に記載の吊り下げ式スマート電子補助ロック。
【請求項５】
前記環状磁石が前記ホールセンサに対して配置される前記所定の距離の範囲は、２ｍｍ〜６ｍｍを含む、請求項４に記載の吊り下げ式スマート電子補助ロック。
【請求項６】
前記信号変化部材は、パターン記号を有する部材を備え、前記信号受信部材は、光学センサ部材を備え、前記データ計算モジュールは、前記データベースを前記光学センサ部材によって生成された前記位置信号と比較することにより、前記回動式ドアロックの前記回転角度を判定する、請求項３に記載の吊り下げ式スマート電子補助ロック。
【請求項７】
前記光学センサ部材は、赤外線感知部材を備える、請求項６に記載の吊り下げ式スマート電子補助ロック。
【請求項８】
前記パターン記号を有する部材は、バーコードパターンを有する部材を備える、請求項６に記載の吊り下げ式スマート電子補助ロック。
【請求項９】
前記パターン記号を有する部材は、目盛りを有する部材を備える、請求項６に記載の吊り下げ式スマート電子補助ロック。
【請求項１０】
前記パターン記号を有する部材は、異なる色のパターンを有する部材を備える、請求項６に記載の吊り下げ式スマート電子補助ロック。
【請求項１１】
前記無線信号受信モジュールは、前記インテリジェント型装置が送信した、近距離無線通信信号、無線周波数識別信号、ブルートゥース信号、およびＷｉ‐Ｆｉ信号を含む前記制御信号を受信する、請求項１に記載の吊り下げ式スマート電子補助ロック。
【考案の詳細な説明】
【技術分野】
【０００１】
本発明は、電子ロックに関するものであり、特に、吊り下げ式スマート電子補助ロックに関するものである。
【背景技術】
【０００２】
昨今、スマートホームの流行が浸透しつつあり、スマート型電子ロックを含む、インテリジェント型装置に接続される物品のインターネット家具が流行している。
【０００３】
既存のスマート型電子ロックは、開閉操作において、導電性ストリップおよびブラシ接点方式を使用するものであり、導電性ストリップを回転させた後に、その端部の分圧された電圧値をそれぞれ判定し、電圧結合装置を通じて当該位置の分圧された電圧値を測定し、これによりスマート型電子ロックが回転する角度位置をさらに決定して、現在、電子ロックが開位置または閉位置にあるかを判定している。
【０００４】
しかしながら、ブラシを導電性ストリップに接触させるように操作するこの従来の方法では、ブラシと導電性ストリップとの間に機械的摩擦が常に発生することは避けられず、ブラシおよび導電性ストリップの材料の摩耗が引き起こされる。したがって、このような場合、導電性ストリップとブラシとの接触面が影響を受け、酸化摩耗だけでなく、分圧された電圧の歪みが生じ、現在の電子ロックが開位置にあるかまたは閉位置にあるかについて誤判定が引き起こされる場合もある。
【考案の概要】
【考案が解決しようとする課題】
【０００５】
したがって、上記課題を解決するためのスマート電子補助ロックをいかにして提供するかが喫緊の研究課題となっている。
【課題を解決するための手段】
【０００６】
本考案は、筐体と、回路基板と、電源ユニットと、回転部材と、信号変化部材と、信号受信部材と、無線信号受信ジュールと、駆動部材と、データ計算モジュールを備える吊り下げ式スマート電子補助ロックを開示する。回路基板は、筐体内に配置されている。電源ユニットは、筐体内に配置され、回路基板に電気的に接続されている。回転部材は、本体部と結合部とを有し、本体部は、筐体の穿孔部に嵌着され、筐体外に部分的に露出している。結合部は、本体部に接続され、筐体外に露出して、回動式ドアロックに結合している。信号変化部材は、筐体内の回転部材の本体部の外周に外嵌されている。信号受信部材は、信号変化部材に対して所定の距離で回路基板上に配置され、信号変化部材の位置を検知して、回動式ドアロックの位置信号を生成する。無線信号受信モジュールは、回路基板上に配置され、インテリジェント型装置が送信した制御信号を受信する。駆動部材は、筐体内に配置され、回転部材に接続され、制御信号に基づいて回転部材を駆動する。データ計算モジュールは、回路基板上に配置され、信号受信部材に電気的に接続されて、当該位置信号を受信し、当該位置信号に基づいて当該回動式ドアロックの回転角度を判定する。
【考案の効果】
【０００７】
上記を鑑み、本発明の吊り下げ式スマート電子補助ロックは、磁力の変化の感知および光学的変化の感知を含む非接触感知方式により、回動式ドアロックの回転角度が開位置にあるかまたは閉位置にあるかを判定し、既知の技術におけるブラシおよび導電性ストリップの使用に起因する材料の摩耗の問題を回避することができる。また、本発明の吊り下げ式スマート電子補助ロックは、既存の家具を交換することなく、既存の回動式ドアロック上に直接覆い、接着剤または施錠部材でドア板上に固定することができる。したがって、使用者が鍵を携帯するのを忘れた場合でも、インテリジェント型装置を使用して回動式ドアロックの開閉を制御することができる。
【図面の簡単な説明】
【０００８】
【図１】本発明の吊り下げ式スマート電子補助ロックの斜視図である。
【図２Ａ】本発明の吊り下げ式スマート電子補助ロックの第１の分解図である。
【図２Ｂ】本発明の吊り下げ式スマート電子補助ロックの第２の分解図である。
【図２Ｃ】本発明の吊り下げ式スマート電子補助ロックの無線信号受信モジュールを示す図である。
【図２Ｄ】本発明の吊り下げ式スマート電子補助ロックの駆動部材が回転部材に接続された状態の斜視図である。
【図３】本発明の吊り下げ式スマート電子補助ロックと回動式ドアロックとの組み立てを示す図である。
【図４Ａ】本発明の吊り下げ式スマート電子補助ロックの信号変化部材と信号受信部材との間の感知方式を示す図である。
【図４Ｂ】本発明の吊り下げ式スマート電子補助ロックの信号変化部材の動作を示す図である。
【図４Ｃ】本発明の吊り下げ式スマート電子補助ロックの信号変化部材と信号受信部材との間の感知方式を示す図である。
【図５】ホールセンサの２つの検出点において検出される角運動量の変化を示す図である。
【図６】本発明の吊り下げ式スマート電子補助ロックの別の信号変化部材と信号受信部材との間の感知方式を示す図である。
【考案を実施するための形態】
【０００９】
図１、図２Ａ、図２Ｂ、図２Ｃ、図２Ｄ、および図３を参照すると、これらの図は、本発明の吊り下げ式スマート電子補助ロックの斜視図、第１の分解図、第２の分解図、無線信号受信モジュールを示す図、回転部材に接続された駆動部材の斜視図、および吊り下げ式スマート電子補助ロックと回動式ドアロックとの組み立てを示す図である。吊り下げ式スマート電子補助ロック１は、筐体１１と、回路基板１２と、電源ユニット１３と、回転部材１４と、信号変化部材１５と、信号受信部材１６と、無線信号受信モジュール１７と、駆動部材１８と、データ計算モジュール１９を備える。回路基板１２は、筐体１１内に配置されている。電源ユニット１３は、筐体１１内に配置され、回路基板１２に電気的に接続されている。回転部材１４は、本体部１４１と結合部１４２とを有し、本体部１４１は、筐体１１の穿孔部に嵌着され、筐体１１外に部分的に露出している。結合部１４２は、本体部１４１に接続され、筐体１１外に露出して、回動式ドアロックに結合している。信号変化部材１５は、筐体１１内の回転部材の本体部１４１の外周に外嵌されている。信号受信部材１６は、信号変化部材１５に対して所定の距離で回路基板１２上に配置され、信号変化部材１５の位置を検知して、回動式ドアロックの位置信号を生成する。無線信号受信モジュール１７は、回路基板１２上に配置され、インテリジェント型装置が送信した制御信号を受信する。駆動部材１８は、筐体１１内に配置され、回転部材１４の本体部１４１に接続され、制御信号に基づいて回転部材１４の本体部１４１を駆動する。データ計算モジュール１９は、回路基板１２上に配置され、信号受信部材１６に電気的に接続されて位置信号を受信し、位置信号に基づいて回動式ドアロックの回転角度を判定する。
【００１０】
吊り下げ式スマート電子補助ロック１の筐体１１の形状は略Ｌ字形であり、一方の側は接着剤または施錠部材によってドア表面に固定され、また他方の側の空間は、筐体１１外に露出した回転部材１４の結合部１４２を介してドアの回動式ドアロックに結合されている。
【００１１】
駆動部材１８は、従動輪１８１と駆動モータ１８２とを備え、従動輪１８１は、接触、噛合の方式で回転部材１４の本体部１４１に接続されている。駆動モータ１８２は、従動輪１８１を正回転および反回転する方向に駆動し、その結果、回転部材１４は従動輪１８１の駆動に伴って回動して、結合部１４２と係合する回動式ドアロックもそれに伴って回動し、閉位置から開位置まで回転するか、または開位置から閉位置まで回転する。
【００１２】
無線信号受信モジュール１７は、インテリジェント型装置が送信した、近距離無線通信（ＮＦＣ）信号、無線周波数識別（ＲＦＩＤ）信号、ブルートゥース信号、およびＷｉ‐Ｆｉ信号を含む制御信号を受信する。インテリジェント型装置と吊り下げ式スマート電子補助ロック１との接続およびペアリングが完了すると、使用者は、任意の方式を使用して吊り下げ式スマート電子補助ロック１の開閉を制御することができる。または、これらの信号を送信する機能を１枚の感知カードに内蔵することにより、使用者がこの感知カードで吊り下げ式スマート電子補助ロック１を感知し、吊り下げ式スマート電子補助ロック１の開閉を制御するようにしてもよい。また、吊り下げ式スマート電子補助ロック１に、例えば、アプリの操作インタフェースを配置することにより、使用者がインテリジェント型装置上で回動式ドアロックの開閉を制御するようにしてもよい。
【００１３】
図４Ａおよび図４Ｃを参照すると、これらの図は、本発明の吊り下げ式スマート電子補助ロックの信号変化部材と信号受信部材との間の感知方式が示されており、図４Ｂは、信号変化部材の動作を示す図である。データ計算モジュール１９は、データベースを記憶しており、データベースを信号受信部材１６によって生成された位置信号と比較することにより、回動式ドアロックの回転角度を判定する。本発明の一実施例では、信号受信部材１６は、ホールセンサを備え、信号変化部材１５は、環状磁石を備え、データ計算モジュール１９は、データベースを記憶しており、データベースをホールセンサによって生成された位置信号と比較することにより、回動式ドアロックの回転角度を判定する。図５を参照すると、この図は、ホールセンサの２つの検出点において検出される角運動量の変化を示す図である。さらに、ホールセンサ上に２つの検出点１６１、１６２が設けられており、２つの検出点１６１、１６２は、同じ対角線位置または異なる２つの角位置などに配置されてもよい。ＩＱＳ６２４チップを例にとると、２つの検出点１６１、１６２は、それぞれ対角線位置に位置付けられているので、２つの検出点１６１、１６２を環状磁石と同じ平面内に維持できるように、チップを傾けて設計する。回転部材が回動すると、その環状磁石は同時に回動を生じ、ホールセンサ上の２つの検出点１６１、１６２の磁性結合が即座に検出され、これにより２つの検出点１６１、１６２および環状磁石のＳ極１５１、Ｎ極１５２の２つの異なる磁極の磁力線の角運動量の変化または角速度の変化などが得られる。図５は、環状の磁石に回動が生じると、ホールセンサの２つの検出点１６１、１６２は、異なる磁力線の変化をそれぞれ検出し、異なる２つの電圧信号ＣＨ１、ＣＨ２として反映し、さらに、単位時間当たりのオフセット量信号を計算することにより、現在、回動式ドアロックの回転位置が開位置であるかまたは閉位置であるかを判定することを示している。また、環状磁石がホールセンサに対して配置される所定の距離Ｄの範囲は、２ｍｍ〜６ｍｍを含む。本発明のより好ましい実施例では、環状磁石がホールセンサに対して配置される所定の距離Ｄは４ｍｍである。
【００１４】
図６を参照すると、この図は、本発明の吊り下げ式スマート電子補助ロックの別の信号変化部材と信号受信部材との間の感知方式を示す図である。本発明の他の実施例では、信号変化部材１５は、信号送信部材１５３と、パターン記号を有する部材１５４を備え、信号受信部材１６は、光学センサ部材を備え、データ計算モジュール１９は、データベースを光学センサ部材によって生成された位置信号と比較することにより、回動式ドアロックの回転角度を判定する。信号送信部材１５３は、パターン記号を有する部材１５４上に信号を発信し、信号受信部材１６上に信号を反射させる。パターン記号を有する部材１５４が回動しているときに、信号送信部材１５３からパターン有する部材１５４上に発信されて信号受信部材１６上で反射して戻る信号は異なる場合がある。データ計算モジュール１９は、データベースを光学センサ部材が受信した異なる信号と比較することにより、パターン記号を有する部材１５４の位置の変化を判定し、すなわちパターン記号を有する部材１５４の回動で生成される回動式ドアロックの位置信号を判定し、回動式ドアロックの回転角度が開位置にあるかまたは閉位置にあるかを判定する。光学センサ部材は、赤外線感知部材を備える。パターン記号を有する部材１５４は、バーコードパターンを有する部材を備えるか、または目盛りを有する部材を備えるか、または異なる色のパターンを有する部材を備える。信号送信部材１５３が光信号を送信することにより、パターン記号を有する部材１５４が回転部材１４に駆動されて回動すると、パターン記号を有する部材１５４が生成する光信号の変化が、光学センサ部材によって感知され、データ計算モジュール１９は、データベースと光学センサ部材が受信したパターン符号を有する部材１５４の回動によって生成された回動式ドアロックの位置信号と比較し、回動式ドアロックの回転角度が開位置にあるかまたは閉位置にあるかを判定する。なお、図中、信号送信部材１５３は、信号受信部材１６とは別々に配置されているが、他の実施例では、信号送信部材１５３は、信号受信部材１６内に配置されてもよく、すなわち送信信号および受信信号の部材を同じ部材内に統合してもよいことに留意されたい。
【００１５】
上記をまとめると、本発明の吊り下げ式スマート電子補助ロックは、磁力の変化の感知および光学的変化の感知を含む非接触感知方式により、回動式ドアロックの回転角度が開位置にあるかまたは閉位置にあるかを判定し、既知の技術におけるブラシおよび導電性ストリップの使用に起因する材料の摩耗の問題を回避することができる。また、本発明の吊り下げ式スマート電子補助ロックは、既存の家具の交換が必要ない場合に、既存の回動式ドアロックを直接覆い、接着剤または施錠部材でドア板に固定することができる。したがって、使用者が鍵を携帯するのを忘れた場合でも、インテリジェント型装置を使用して回動式ドアロックの開閉を制御することができる。
【符号の説明】
【００１６】
１     吊り下げ式スマート電子補助ロック
１１   筐体
１２   回路基板
１３   電源ユニット
１４   回転部材
１４１ 本体部
１４２ 結合部
１５   信号変化部材
１５１ Ｓ極
１５２ Ｎ極
１５３ 信号送信部材
１５４ パターン記号を有する部材
１６   信号受信部材
１６１、１６２  検出点
１７   無線信号受信モジュール
１８   駆動部材
１８１ 従動輪
１８２ 駆動モータ
１９   データ計算モジュール
Ｄ    所定の距離
ＣＨ１、ＣＨ２ 電圧信号
【図１】
0003230845.tif 000003
【図２Ａ】
0003230845.tif 000004
【図２Ｂ】
0003230845.tif 000005
【図２Ｃ】
0003230845.tif 000006
【図２Ｄ】
0003230845.tif 000007
【図３】
0003230845.tif 000008
【図４Ａ】
0003230845.tif 000009
【図４Ｂ】
0003230845.tif 000010
【図４Ｃ】
0003230845.tif 000011
【図５】
0003230845.tif 000012
【図６】
0003230845.tif 000013
【手続補正書】
【提出日】令和2年12月17日(2020.12.17)
【手続補正１】
【補正対象書類名】実用新案登録請求の範囲
【補正対象項目名】全文
【補正方法】変更
【補正の内容】
【実用新案登録請求の範囲】
【請求項１】
吊り下げ式スマート電子補助ロックであって、
筐体と、
前記筐体内に配置された回路基板と、
前記筐体内に配置され、前記回路基板に電気的に接続された電源ユニットと、
回転部材であって、本体部および結合部を有し、前記本体部は、前記筐体の穿孔部に嵌着され、前記筐体外に部分的に露出しており、前記結合部は、前記本体部に接続され、前記筐体外に露出して、回動式ドアロックに結合する、回転部材と、
前記回転部材の前記本体部の外周に外嵌された信号変化部材と、
信号受信部材であって、前記信号変化部材に対して所定の距離で前記回路基板上に配置され、前記信号変化部材の位置を検知して前記回動式ドアロックの位置信号を生成する、信号受信部材と、
無線信号受信モジュールであって、前記回路基板上に配置され、インテリジェント型装置が送信した制御信号を受信する、無線信号受信モジュールと、
駆動部材であって、前記筐体内に配置され、前記回転部材に接続され、前記制御信号に基づいて前記回転部材を駆動する、駆動部材と、
データ計算モジュールであって、前記回路基板上に配置され、前記信号受信部材に電気的に接続されて前記位置信号を受信し、前記位置信号に基づいて前記回動式ドアロックの回転角度を判定する、データ計算モジュールを備える吊り下げ式スマート電子補助ロック。
【請求項２】
前記駆動部材は、
前記回転部材の前記本体部に接続された従動輪と、
前記従動輪を駆動する駆動モータを備える、請求項１に記載の吊り下げ式スマート電子補助ロック。
【請求項３】
前記データ計算モジュールは、データベースを記憶しており、前記データ計算モジュールは、前記データベースを前記信号受信部材によって生成された前記位置信号と比較することにより、前記回動式ドアロックの前記回転角度を判定する、請求項１に記載の吊り下げ式スマート電子補助ロック。
【請求項４】
前記信号受信部材は、ホールセンサを備え、前記信号変化部材は、環状磁石を備え、前記データ計算モジュールは、前記データベースを前記ホールセンサによって生成された前記位置信号と比較することにより、前記回動式ドアロックの前記回転角度を判定する、請求項３に記載の吊り下げ式スマート電子補助ロック。
【請求項５】
前記環状磁石が前記ホールセンサに対して配置される前記所定の距離の範囲は、２ｍｍ〜６ｍｍを含む、請求項４に記載の吊り下げ式スマート電子補助ロック。
【請求項６】
前記信号変化部材は、パターン記号を有する部材を備え、前記信号受信部材は、光学センサ部材を備え、前記データ計算モジュールは、前記データベースを前記光学センサ部材によって生成された前記位置信号と比較することにより、前記回動式ドアロックの前記回転角度を判定する、請求項３に記載の吊り下げ式スマート電子補助ロック。
【請求項７】
前記光学センサ部材は、赤外線感知部材を備える、請求項６に記載の吊り下げ式スマート電子補助ロック。
【請求項８】
前記パターン記号を有する部材は、バーコードパターンを有する部材を備える、請求項６に記載の吊り下げ式スマート電子補助ロック。
【請求項９】
前記パターン記号を有する部材は、目盛りを有する部材を備える、請求項６に記載の吊り下げ式スマート電子補助ロック。
【請求項１０】
前記パターン記号を有する部材は、異なる色のパターンを有する部材を備える、請求項６に記載の吊り下げ式スマート電子補助ロック。
【請求項１１】
前記無線信号受信モジュールは、前記インテリジェント型装置が送信した、近距離無線通信信号、無線周波数識別信号、ブルートゥース（登録商標）信号、およびＷｉ‐Ｆｉ信号を含む前記制御信号を受信する、請求項１に記載の吊り下げ式スマート電子補助ロック。